(57)【要約】通信の方法であって、第１及び第２のデータ・フレーム（９０，９４）をそれぞれ第１及び第２の通信リンクを経由して受信することを含み、ここにおいて第１及び第２のデータ・フレームは、前方誤り訂正（ＦＥＣ）符号で符号化された、それぞれ第１及び第２のデータの複製を有する。受信された第１及び第２のデータ・フレーム内のＦＥＣ符号が復号され、第１及び第２のデータ・フレームのそれぞれ第１及び第２のソフト品質ランクが、復号されたＦＥＣ符号に基づき計算される。第１及び第２のソフト品質ランクに基づき第１及び第２のデータの複製の一方が選択される。選択された第１及び第２のデータの複製の一方が出力（９８）として提供される。【選択図】図１
2010537466.tif 000002
【特許請求の範囲】
【請求項１】
第１及び第２のデータ・フレームをそれぞれ第１及び第２の通信リンクを経由して受信するステップと、
ここにおいて前記第１及び前記第２のデータ・フレームはそれぞれ前方誤り訂正（ＦＥＣ）符号で符号化された第１及び第２のデータの複製を有し、
受信された前記第１及び第２のデータ・フレーム内の前記ＦＥＣ符号を復号するステップと、
前記第１及び第２のデータ・フレームのそれぞれ第１及び第２のソフト品質ランクを、前記復号されたＦＥＣ符号に基づいて計算するステップと、
前記第１及び第２のデータの複製の内の一方を、前記第１及び第２のソフト品質ランクに基づき選択するステップと、
前記選択された第１及び第２のデータの複製の内の一方を出力するステップと、
からなることを特徴とする通信の方法。  
【請求項２】
前記第１の通信リンクは主たるリンクとして機能し、前記第２の通信リンクは前記主たるリンクの補助として機能することを特徴とする請求項１に記載の方法。
【請求項３】
前記第１及び第２のデータ・フレーム内の前記データが、さらに１つの誤り検出符号により符号化され、また、前記第１及び第２のソフト品質ランクを計算するステップが、前記復号されたＦＥＣ符号および前記誤り検出符号の両方に基づいて前記ランクを計算するステップからなる、ことを特徴とする請求項１に記載の方法。
【請求項４】
前記誤り検出符号が巡回冗長検査（ＣＲＣ）からなることを特徴とする請求項１−３のいずれかに記載の方法。
【請求項５】
前記前方誤り訂正（ＦＥＣ）符号はリード・ソロモン符号からなることを特徴とする請求項１−３のいずれかに記載の方法。
【請求項６】
前記第１及び第２のデータの複製の内の１つを選択するステップが、前記第１のソフト品質ランクが前記第２のソフト品質ランクより優れている場合は、前記第１の複製を選択し、前記第２のソフト品質ランクが前記第１のソフト品質ランクより優れている場合は、前記第２の複製を選択するステップからなることを特徴とする請求項１−３のいずれかに記載の方法。
【請求項７】
前記第１及び第２のデータの複製の内の１つを選択するステップが、現在選択された１つの複製のソフト品質ランクが事前設定された１つの閾値を下回る場合は、前記現在選択された複製を変更するステップからなることを特徴とする請求項１−３のいずれかに記載の方法。
【請求項８】
前記第１及び第２のソフト品質ランクが前記第１及び第２のデータ・フレームにそれぞれ由来する表示に基づいており、前記表示は、前記ＦＥＣ符号の復号の成功／失敗、ＦＥＣ符号の復号の前に存在する誤りの数、およびＦＥＣ符号の復号の前に存在する誤りを含むバイトの数、からなるタイプ群から選ばれる少なくとも１つの表示タイプからなることを特徴とする請求項１−３のいずれかに記載の方法。
【請求項９】
前記ソフト品質ランクを計算し前記第１及び第２のデータの複製の内の１つを選択するステップが、
前記第１及び第２の複製の内の少なくとも１つが前記ＦＥＣ符号の復号の前に誤りを含まない場合は、誤りを含まない前記複製の１つを選択するステップと、
前記第１及び第２の複製の両方共ＦＥＣ符号の復号の前に誤りを含む場合は、前記第１及び第２の複製のうち前記ＦＥＣ符号の１つの有効な符号語に近い一方を選択するステップと、
からなることを特徴とする請求項１−３のいずれかに記載の方法。
【請求項１０】
前記第１及び第２の複製のうち前記有効な符号語に近い一方を選択するステップは、前記第１及び第２の複製のうち誤り数の少ない一方を選択するステップからなることを特徴とする請求項９に記載の方法。
【請求項１１】
前記第１及び第２の複製のうち前記ＦＥＣ符号の１つの有効な符号語に近い方を選択するステップは、前記第１及び第２の複製のうち誤りを含むバイトの数が少ない一方を選択するステップからなることを特徴とする請求項９に記載の方法。
【請求項１２】
前記ソフト品質ランクを計算するステップは、前記第１及び第２のデータ・フレーム内の前記ＦＥＣ符号をそれぞれ復号する第１及び第２の復号器の入力と、前記復号器のそれぞれの出力との比較に対応して前記ランクを計算するステップからなることを特徴とする請求項１−３のいずれかに記載の方法。
【請求項１３】
第１及び第２のデータ・フレームをそれぞれ第１及び第２の通信リンクを経由して受信し、そして前記受信された第１及び第２のデータ・フレーム内の前方誤り訂正（ＦＥＣ）符号を復号するように配置された第１と第２の受信器と、
ここにおいて前記第１及び前記第２のデータ・フレームは前記ＦＥＣ符号で符号化された第１及び第２のデータの複製をそれぞれ有し、
前記第１及び第２のデータ・フレームを前記第１及び第２の受信機より受信し、そして、前記第１および第２のデータの複製のそれぞれ１つを出力として供給するため、前記第１及び第２のデータ・フレームのうちの１つを選択するように稼動する、１つのマルチプレクサ（ＭＵＸ）と、  
前記第１及び第２のデータ・フレームのそれぞれ第１及び第２のソフト品質ランクを、前記復号されたＦＥＣ符号に基づいて計算し、
前記マルチプレクサを制御して、前記第１及び第２のソフト品質ランクに基づき前記第１及び第２のデータの複製の内の１つを選択させる、ように接続される１つのコントローラと、
からなることを特徴とする通信装置。  
【請求項１４】
前記第１の通信リンクは主たるリンクとして機能し、前記第２の通信リンクは前記主たるリンクの補助として機能することを特徴とする請求項１３に記載の装置。
【請求項１５】
前記第１及び第２のデータ・フレーム内のデータが、さらに１つの誤り検出符号により符号化され、また、前記コントローラが、前記復号されたＦＥＣ符号および前記誤り検出符号の両方に基づいて、前記第１及び第２のソフト品質ランクを計算するように接続されていることを特徴とする請求項１３に記載の装置。
【請求項１６】
前記誤り検出符号が巡回冗長検査（ＣＲＣ）からなることを特徴とする請求項１３−１５のいずれかに記載の装置。
【請求項１７】
前記前方誤り訂正（ＦＥＣ）符号がリード・ソロモン符号からなることを特徴とする請求項１３−１５のいずれかに記載の装置。
【請求項１８】
前記コントローラは、前記マルチプレクサを制御して、前記第１のソフト品質ランクが前記第２のソフト品質ランクより優れている場合は、前記第１の複製を選択させ、前記第２のソフト品質ランクが前記第１のソフト品質ランクより優れている場合は、前記第２の複製を選択させる、ように接続されていることを特徴とする請求項１３−１５のいずれかに記載の装置。
【請求項１９】
前記コントローラは、前記マルチプレクサを制御して、現在選択された１つの複製のソフト品質ランクが事前設定された１つの閾値を下回る場合は、前記現在選択された複製を変更する、ように接続されていることを特徴とする請求項１３−１５のいずれかに記載の装置。
【請求項２０】
前記第１及び第２の受信器が其々前記第１及び第２のデータ・フレーム表示に由来するように配置され、
ここに前記表示は、前記ＦＥＣ符号の復号の成功／失敗、前記ＦＥＣ符号の復号の前に存在する誤りの数、および前記ＦＥＣ符号の復号の前に存在する誤りを含むバイトの数、からなるタイプ群から選ばれる少なくとも１つの表示タイプからなり、
また前記コントローラが、前記第１及び第２のソフト品質ランクを前記表示に基づいて計算するように接続されている、ことを特徴とする請求項１３−１５のいずれかに記載の装置。
【請求項２１】
前記コントローラが、
前記第１及び第２の複製の内の少なくとも１つがＦＥＣ符号の復号の前に誤りを含まない場合は、誤りを含まない複製の１つを選択し、
前記第１及び第２の複製の両方共ＦＥＣ符号の復号の前に誤りを含む場合は、前記第１及び第２の複製のうち前記ＦＥＣ符号の１つの有効な符号語に近い一方を選択する、
ように接続されている、ことを特徴とする請求項１３−１５のいずれかに記載の装置。
【請求項２２】
前記コントローラが、前記第１及び第２の複製のうち前記誤りの数の少ない一方を選択することにより、前記第１及び第２の複製のうち前記有効な符号語に近い一方を選択するように接続されている、ことを特徴とする請求項２１に記載の装置。
【請求項２３】
前記コントローラが、前記第１及び第２の複製のうち前記誤りを含むバイト数の少ない一方を選択することにより、前記第１及び第２の複製のうち前記有効な符号語に近い一方を選択するように接続されている、ことを特徴とする請求項２１に記載の装置。
【請求項２４】
前記第１及び第２の受信器が、それぞれ前記第１及び第２のデータ・フレーム内の前記ＦＥＣ符号を復号するように配置される復号器からなり、
ここにおいて前記コントローラが、前記復号器の入力と前記復号器のそれぞれの出力との比較に基づいて、前記ソフト品質ランクを計算するように接続される、
ことを特徴とする請求項１３−１５のいずれかに記載の装置。
【請求項２５】
１つの送信器と、
ここにおいて前記送信器はデータを１つの前方誤り訂正（ＦＥＣ）符号で符号化し、そしてそれぞれ第１及び第２のデータ・フレーム内の前記符号化されたデータの第１及び第２の複製を、第１及び第２の通信チャネルを経由して送信するように配置され、
１つの受信機と、
ここにおいて前記受信器は、
前記送信器より送信された第１及び第２のデータ・フレームを受信し、そして前記受信された第１及び第２のデータ・フレーム内の前方誤り訂正（ＦＥＣ）符号を復号するように、それぞれ配置された第１と第２の受信器チャネルと、
前記第１及び第２のデータ・フレームを前記第１及び第２の受信機チャネルより受信し、そして、前記データの前記第１および第２の複製のそれぞれ１つを出力として供給するため、前記第１及び第２のデータ・フレームのうちの１つを選択するように稼動する、１つのマルチプレクサと、  
前記第１及び第２のデータ・フレームのそれぞれ第１及び第２のソフト品質ランクを、前記復号されたＦＥＣ符号に基づいて計算し、
前記マルチプレクサを制御して、前記第１及び第２のソフト品質ランクに基づき前記第１及び第２のデータの複製の内の一方を選択させる、ように接続される１つのコントローラと、を含み、
からなることを特徴とする通信リンク。  
【発明の詳細な説明】
【技術分野】
【０００１】
本発明は、一般的に通信システムに関し、特に保護された通信リンクの操作方法およびシステムに関するものである。
【背景技術】
【０００２】
ある通信システムでは、誤り性能を向上し、機器の故障や悪い通信状態に対する保護を提供するため、冗長通信リンクでデータを送受信する。例えばここに参照として示される特許文献１では、遠隔通信システムにおけるセルの送信を保護する方法を開示している。送信器側では２つの同一のセルの流れが２つの異なる物理リンクに送信される。標識として機能し、またこのようにセルのブロック又はセルのブロックの組を区分けするセルは、送信器において各流れに規則的に挿入される。受信器側では、セルの２つの流れが受信され、送信誤りのより少ない一方の流れからのブロックまたはブロックの組が選択される。
【０００３】
ここに参照として示される特許文献２では、ビット損出のない経路切換法が開示されている。稼動経路と保護経路にある同一のデジタル回線信号が独立して継続的にビット誤りを監視される。もしビット誤りが稼動経路で発生し、保護経路では発生しなかった場合、交換トリガーが生成され、稼動経路から保護経路への切換がデータ・ブロック単位でなされる。正しいデータのみが下流に送られる。この方法はブロックの初めまたは先頭に置かれたビット誤り検出用の１つの標識を有する、１フレーム長のデータ・ブロックを使用する。  
【先行技術文献】
【特許文献】
【０００４】
【特許文献１】米国特許  ６，６１１，９４２
【特許文献１】米国特許  ５，６３１，８９６
【発明の概要】
【０００５】
本発明の実施形態は、第１及び第２のデータ・フレームをそれぞれ第１及び第２の通信リンクを経由して受信するステップと、
ここにおいて第１及び第２のデータ・フレームはそれぞれ前方誤り訂正（ＦＥＣ）符号で符号化された第１及び第２のデータの複製を有し、
受信された第１及び第２のデータ・フレーム内のＦＥＣ符号を復号するステップと、
第１及び第２のデータ・フレームのそれぞれ第１及び第２のソフト品質ランクを、復号されたＦＥＣ符号に基づいて計算するステップと、
第１及び第２のデータの複製の内の１つを、第１及び第２のソフト品質ランクに基づき選択するステップと、
選択された第１及び第２のデータの複製の内の一方を出力するステップと、
からなることを特徴とする通信の方法、を提供する。
【０００６】
ある実施形態では、第１の通信リンクは主たるリンクとして機能し、第２の通信リンクは第１リンクの補助として機能する。さらに他の実施形態では、第１及び第２のデータ・フレーム内のデータが、さらに１つの誤り検出符号により符号化され、また、第１及び第２のソフト品質ランクを計算するステップが、復号されたＦＥＣ符号および誤り検出符号の両方に基づいてランクを計算するステップからなる。誤り検出符号が巡回冗長検査（ＣＲＣ）からなる。前方誤り訂正（ＦＥＣ）符号はリード・ソロモン符号からなる。
ある開示された実施形態では、第１及び第２のデータの複製の内の１つを選択するステップが、第１のソフト品質ランクが第２のソフト品質ランクより優れている場合は、第１の複製を選択し、第２のソフト品質ランクが第１のソフト品質ランクより優れている場合は、第２の複製を選択するステップからなる。
他の実施形態では、第１及び第２のデータの複製の内の１つを選択するステップが、現在選択された１つの複製のソフト品質ランクが事前設定された１つの閾値を下回る場合は、現在選択された複製を変更するステップからなる。  
【０００７】
さらに他の実施形態では、第１及び第２のソフト品質ランクがそれぞれ第１及び第２のデータ・フレームに由来する表示に基づいており、表示は、ＦＥＣ符号の復号の成功／失敗、ＦＥＣ符号の復号の前に存在する誤りの数、およびＦＥＣ符号の復号の前に存在する誤りを含むバイトの数、からなるタイプ群から選ばれる少なくとも１つの表示タイプからなる。
さらに別の実施形態では、ソフト品質ランクを計算し第１及び第２のデータの複製の内の１つを選択するステップが、
第１及び第２の複製の内の少なくとも１つがＦＥＣ符号の復号の前に誤りを含まない場合は、誤りを含まない複製の１つを選択するステップと、
第１及び第２の複製の両方共ＦＥＣ符号の復号の前に誤りを含む場合は、第１及び第２の複製のうちＦＥＣ符号の１つの有効な符号語に近い一方を選択するステップと、
からなる。
【０００８】
ある実施形態では、第１及び第２の複製のうち有効な符号語に近い一方を選択するステップは、第１及び第２の複製のうち誤り数の少ない一方を選択するステップからなる。またあるいは、第１及び第２の複製のうちＦＥＣ符号の１つの有効な符号語に近い方を選択するステップは、第１及び第２の複製のうち誤りを含むバイトの数が少ない一方を選択するステップからなる。ある実施形態では、ソフト品質ランクを計算するステップは、第１及び第２のデータ・フレーム内のＦＥＣ符号をそれぞれ復号する第１及び第２の復号器の入力と、前記復号器のそれぞれの出力との比較に対応してランクを計算するステップからなる。
【０００９】
さらに本発明の実施形態によれば、第１及び第２のデータ・フレームをそれぞれ第１及び第２の通信リンクを経由して受信し、そして受信された第１及び第２のデータ・フレーム内の前方誤り訂正（ＦＥＣ）符号を復号するように配置された第１と第２の受信器と、
ここにおいて第１及び第２のデータ・フレームはそれぞれＦＥＣ符号で符号化された第１及び第２のデータの複製を有し、
第１及び第２のデータ・フレームを第１及び第２の受信機より受信し、そして、第１および第２のデータの複製のそれぞれ１つを出力として供給するため、第１及び第２のデータ・フレームのうちの１つを選択するように稼動する、１つのマルチプレクサと、  
第１及び第２のデータ・フレームのそれぞれ第１及び第２のソフト品質ランクを、復号されたＦＥＣ符号に基づいて計算し、
マルチプレクサを制御して、第１及び第２のソフト品質ランクに基づき第１及び第２のデータの複製の内の１つを選択させる、ように接続される１つのコントローラと、
からなることを特徴とする通信装置、が供給される。
【００１０】
本発明の実施形態によればさらに、１つの送信器と、
ここにおいて送信器はデータを１つの前方誤り訂正（ＦＥＣ）符号で符号化し、そしてそれぞれ第１及び第２のデータ・フレーム内の符号化されたデータの第１及び第２の複製を、第１及び第２の通信チャネルを経由して送信するように配置され、
１つの受信機と、
ここにおいて受信器は、
送信器より送信された第１及び第２のデータ・フレームを受信し、そして受信された第１及び第２のデータ・フレーム内の前方誤り訂正（ＦＥＣ）符号を復号するように、それぞれ配置された第１と第２の受信器チャネルと、
第１及び第２のデータ・フレームを第１及び第２の受信機チャネルより受信し、そして、データの第１および第２の複製のそれぞれ１つを出力として供給するため、第１及び第２のデータ・フレームのうちの１つを選択するように稼動する、１つのマルチプレクサと、  
第１及び第２のデータ・フレームのそれぞれ第１及び第２のソフト品質ランクを、復号されたＦＥＣ符号に基づいて計算し、
マルチプレクサを制御して、第１及び第２のソフト品質ランクに基づき第１及び第２のデータの複製の内の一方を選択させる、ように接続される１つのコントローラと、を含み、
からなることを特徴とする通信リンク、が供給される。
本発明は以下に記述される発明の実施形態の詳細説明および図と共により十分に理解される。
【図面の簡単な説明】
【００１１】
【図１】本発明に基づく保護された通信リンクを示すブロック図である。
【図２】本発明に基づく保護された通信リンクの受信器におけるデータ・フレーム処理を示す図である。
【図３】本発明に基づく保護された通信リンクを操作する方法を示すフロー・チャートである。
【図４】本発明に基づく保護された通信リンクにおいて、データ・フレームの品質を比較する方法を示す、フロー・チャートである。
【発明を実施するための形態】
【００１２】
（概論）
前方誤り訂正（ＦＥＣ）符号を使用する、ある保護されたリンク構成では、第１と第２のリンクの切換はＦＥＣ符号の復号の成否に関する表示に基づく。しかし多くの実際のケースでは、これらの表示は多くの場合、不正確あるいは信頼性が低く、選択結果は準最適あるいは誤ったものとなる。ＦＥＣ符号の表示はＦＥＣコード率が高い場合やチャネル状態が悪い場合、また多重レベルＦＥＣ符号化が使用された場合に、特にあてにならない。
ＦＥＣ符号に時に伴う低信頼性に鑑み、本発明の実施形態では、保護されたリンク構成における冗長リンク間の切換に対し改善された方法とシステムを提供する。以下に述べる実施形態では、切換決定はＦＥＣ符号に関するソフト品質ランクに基づいている。「ソフト品質ランク」とは、１ビット即ち単なる２値の成功／失敗の表示より細かい解像度または精度を有するランクまたは基準をいう。ソフト品質ランクは典型的には２つまたはそれ以上のビットを有する２進数により表現される。
【００１３】
ある実施形態では、送信器がデータの同一の複製を第１および第２の通信リンクを経由して、それぞれのデータ・フレームの順序で受信器に送信する。各データ・フレームのデータはＦＥＣ符号で符号化される。並行する２つのデータ・フレームの順列は受信器で受信され、そこでＦＥＣ符号から復号される。受信器は、第１と第２のリンクの一方のデータ・フレームを選択するように、典型的にはフレーム毎に切換えられるマルチプレクサ（ＭＵＸ）を有する。データは選択されたデータ・フレームから抽出され、出力として供給される。
マルチプレクサ（ＭＵＸ）は、各データ・フレームに対してＦＥＣ符号の復号性能に基づいてソフト品質ランクを計算するコントローラにより制御される。並行なデータ・フレームの１つの所与のペア（即ち、第１および第２のリンク経由で受信された同一のデータを運ぶデータ・フレーム）に対し、コントローラは２つのフレームのソフト品質ランクを比較し、より良いソフト品質ランクを有するデータ・フレームを選択する。品質ランクと選択基準の幾つかの例が以下で示される。
【００１４】
ある実施形態では、第１および第２のリンクを経由して送信されたデータは、ＦＥＣに追加して巡回冗長検査などの１つの誤り検出符号で符号化される。後に示されるように誤り検出符号は誤りを訂正はしないが、ＦＥＣ符号がそれを出来ない場合でも、信頼性の高い品質表示を提供する。これらの実施形態では、コントローラは誤り検出符号とＦＥＣの双方に基づいてソフト品質ランクを計算する。リンク資源（例えば、送信時間または帯域幅）を誤り検出符号へ割当てると、他のリンク変数（例えば、シンボル率またはＦＥＣ符号率）が低下するため、通常は性能の低下を伴う。しかし多くの場合は、この性能の低下はより良い切換決定による性能の向上により埋め合わせされ、さらにおつりがくる。全体としてのリンク性能はこのように大幅に改善される。
第１と第２のリンクの選択が２値の表示、例えば、誤りの有無、に基づいている既知の保護方法と異なり、ここに既述される方法およびシステムは、双方のリンクが誤りを有していても、２つのリンクのどちらがより良いかを判定することが出来る。このように、開示された品質ランクおよび選択方法は保護されたリンクの全体的誤り性能を改善する。
【００１５】
（システムの既述）
図１は本発明に基づく、保護された通信リンク２０を示すブロック図である。この例ではリンク２０は、点対点マイクロ波またはミリ波リンクからなる。他の実施形態では、リンク２０は他の適合する無線リンクであってもよい。リンクを経由して送信されるデータを保護するため、リンク２０は第１と第２のリンクからなり、そのリンク上をデータが並行して送られる。
リンク２０は、１つの２重受信器２８へデータを送信する１つの２重送信器２４からなる。二重送信器に入るデータはフレーマ３６により形式化され、データ・フレーム内にカプセル化される。データ・フレームは第１の送信器４０と第２の送信器４４に並行して供給される。各送信器は、データをＦＥＣおよび誤り検出符号を使用して符号化し、符号化データを変調する送信（ＴＸ）モデム４５からなる。必須ではないが典型的には、ＦＥＣ符号はブロック符号からなり、各データ・フレームのデータは単一のＦＥＣブロックに対応している。
【００１６】
ＦＥＣ符号は例えば、リード・ソロモン（ＲＳ）符号、低密度パリティ検査（ＬＤＰＣ）または他の適合するＦＥＣ符号から構成されてよい。  誤り検出符号は、巡回冗長検査、種々のパリティ検査または合計チェックなど、誤りの検出を可能にするどのような適合する構成であってよい。
第１および第２の送信器の各々において、送信器先端部（ＴＸ  ＦＥ）４６は、送信（ＴＸ）モデムで生成された変調デジタル信号をアナログ信号に変換し、次にフィルターを通して信号を適合する無線周波数（ＲＦ）に上方変換し、その後増幅する。第１および第２の送信器はそれぞれ送信アンテな４８，５２を経由してそれぞれＲＦ信号を送信する。
【００１７】
送信器４０，４４より送信されたデータは同一である。従って他の実施形態では、２重送信器２４が１つのＴＸモデム４５からなり、その出力は第１および第２の送信器の２つのＴＸ先端部４６に並行して供給される。
第１および第２の送信器より送信された信号はそれぞれ第１および第２の無線通信チャネルを通過する。その２つのチャネルは周波数、極性および／またはアンテナ位置が異なる。２つのチャネルが典型的には異なる特性と状態を有するため、送信誤りを引き起こす悪いチャネル状態はチャネルに依存する可能性は少ない。このように２つのチャネルは一定量の通信の多様性と保護を提供する。
【００１８】
第１および第２のチャネルより送信された信号はそれぞれ受信アンテナ５６，６０に受信され、２重受信器２８内の第１受信器６４および第２受信器６８に提供される。受信器６４，６８は受信信号を処理し送信されたデータ・フレームを再構築する。第１の送信器ＴＸ４０、アンテナ４８，５６および第１の受信器ＲＸ６４は第１のリンクと呼ばれる。第２の送信器ＴＸ４４、アンテナ５２，６０および第２の受信器ＲＸ６８は第２のリンクと呼ばれる。
受信器６４，６８のそれぞれは、受信したＲＦ信号を下方変換し、フィルターにかけ、デジタル化する受信器先端部（ＲＸ  ＦＥ）からなる。受信器先端部（ＲＸ  ＦＥ）はさらに利得制御などの機能を果たす。受信器先端部（ＲＸ  ＦＥ）で生成されたデジタル信号は、信号を復調しＦＥＣおよび誤り検出符号を復号する、受信（ＲＸ）モデム７０に供給される。受信（ＲＸ）モデムはさらに同期化およびキャリア回復などの機能を果たしてもよい。
【００１９】
受信器６４，６８のそれぞれは再構築されたデータ・フレームを、典型的にはスイッチ・マトリックスからなるマルチプレクサ（ＭＵＸ）７２に供給する。このようにマルチプレクサ（ＭＵＸ）７２は、第１と第２のリンクを経由して受信され、同一のデータを運ぶ２つの並行するデータ・フレームの順列を供給される。マルチプレクサ（ＭＵＸ）７２の出力は、データ・フレームからデータを抽出し、そのデータを出力として供給する、デフレーマ７６により脱形式化される。このようにマルチプレクサ（ＭＵＸ）７２の設定は、第１または第２のリンクを経由して送信されたデータのどちらが出力として使用されるかを選択する。典型的に、マルチプレクサ（ＭＵＸ）７２は高速切換マトリックスからなり、第１と第２の受信器の間でフレーム毎に変更することが可能である。
２重受信器２８は受信器の操作を制御するコントローラ８０からなる。詳細には、コントローラ８０はマルチプレクサ（ＭＵＸ）７２の適切な設定、即ち、第１と第２の受信器のどちらからのデータを使用するかを決定し、それに従ってマルチプレクサ（ＭＵＸ）７２を制御する。コントローラ８０は、２つの受信器の受信モデム７０から提供されたＦＥＣ符号、場合によっては誤り検出符号に関する表示に基づいて、第１または第２の受信器を選択する。
【００２０】
フレーム毎の選択により、リンクの一方が故障した場合の保護となる。両方のリンクが稼動している場合でも、この選択により二重受信器がより良い性能（例えば、低いビット誤り率）を有するリンクを選択することを可能にし、全体的な性能の改善をもたらします。切換操作はしはしばヒットレスであり、即ちデータ損出なく実行される。
典型的に各受信モデム７０は進行、成功および／またはＦＥＣおよび誤り検出符号の復号品質に関する表示を、受信したフレーム毎に生成する。これらの表示はコントローラ８０に提供される。コントローラはそれぞれのデータ・フレームに対するソフト品質ランクをモデムから供給された表示に基づき計算する。所与の１組の並行データ・フレーム（即ち、同一のデータを運ぶ第１の受信器で受信されたデータ・フレームと第２の受信器で受信されたデータ・フレーム）に対して、コントローラは２つのフレームのソフト品質ランクを比較し、マルチプレクサ（ＭＵＸ）７２をより良いランクを有するデータ・フレームを選択するように設定する。品質ランクおよび選択基準の幾つかの例を以下に示す。  
【００２１】
ある実施形態では、コントローラ８０はフレーム毎にみて、即ち、１つ前のフレームの選択に無関係に、より良い性能のデータ・フレームを選択する。あるいはコントローラはソフト品質ランクに基づいて他の適合する論理を適用しても良い。例えばある実施形態では、最小閾値がソフト品質ランクに設定される。コントローラは、品質ランクが閾値より高ければ第１のリンクのデータ・フレームを選択する。第１のリンクのデータ・フレームの品質ランクが閾値より下回った場合は、コントローラは、第２のリンクのデータ・フレームの品質ランクが第１のリンクのそれより優れている場合、マルチプレクサ（ＭＵＸ）７２を切換えて第２のリンクのデータ・フレームを選択する。
第１のリンクと第２のリンクの定義は任意であり、時間と共に変化することを注意されたい。例えば、ある一定の時間においてフレームが選択されているリンクが第１のリンクと見做されてもよく、その場合他方のリンクが第２のリンクと定義され、予備として機能する。コントローラが他方のリンクのフレームを選択し始めると、リンクの役割は逆転する。
【００２２】
典型的にはコントローラ８０は、ここに既述される機能を実行するためのソフトウェアでプログラムされている汎用演算処理器からなる。ソフトウェアはネットワークまたはリンク２０を介して電子形式で演算処理器に、またはＣＤ−ＲＯＭなどの接触可能媒体に、ダウンロードされる。
変化するデータレートを有するリンクに特に関する保護切換の他の追加的側面が、米国特許出願１１／６３４，７８１、  ２００６年１２月５日出願、発明の名称「保護された可変レートリンクにおけるデータレート調整」に記載されており、この出願人は本発明の出願人と同一であり、ここに参考とされる。
【００２３】
図２は本発明の実施形態における、保護された通信リンク２０の受信器２８におけるデータ・フレーム処理を示した図である。図は、第１の受信器により生成されたデータ・フレーム９０Ａ・・９０Ｃと第２の受信器により生成されたデータ・フレーム９４Ａ・・９４Ｃを示す。２つの順列の内の対応するデータ・フレーム（例えば、９０Ａと９４Ａ、９０Ｂと９４Ｂ）は同一のデータを伝送する。各データ・フレームはＦＥＣ符号で符号化されたデータに割当てられた一定の時間間隔（即ち、一定数のシンボル）と、巡回冗長検査（ＣＲＣ）に割当てられたもう１つの時間間隔を有する。
コントローラ８０は各フレームのＦＥＣ符号と巡回冗長検査（ＣＲＣ）の復号に関する表示を使用して、第１の受信器からのデータ・フレームを使用するか第２の受信器からのデータ・フレームを使用するかの決定をフレーム毎に行う。選択されたデータ・フレームはデフレーマ７６に供給され、デフレーマはデータを抽出し出力フレーム９４Ａ・・９４Ｃからなる出力順列を生成する。例えば、データ・フレーム９０Ａの品質ランクが９４Ａより良い場合、出力フレーム９８Ａはデータ・フレーム９０Ａのデータからなる。
【００２４】
（ソフト品質ランクに基づく第１と第２のリンク間の切換）
ＦＥＣ符号の復号に関する２値の、または合格／不合格の表示のみに基づいてデータ・フレームの品質ランクを計算することは原則的に可能である。例えば、あるリード・ソロモン（ＲＳ）復号器は、修正不能なバイト誤りが復号されたブロックに存在する場合、「修正不能誤り」表示を出す。ある繰返し低密度パリティ検査（ＬＤＰＣ）復号器は「パリティ充足」の表示を出し、それは復号器が１つの有効な符号語に収束できたかを表示する。ＦＥＣ符号に由来する基準に基づく第１のリンクと第２のリンクとの間の切換については、米国特許出願１１／４８３／０７８、  ２００６年７月６日出願、発明の名称「相互作用符号基準を使用した通信リンク制御」に記載されており、この特許出願は本発明の出願人と同一であり、ここに参照される。
【００２５】
あるシステムまたは構成によっては、２値のＦＥＣ符号表示が不正確であり、信頼性が低く、準最良または間違った選択決定をもたらすことがある。例えば、１つの受信器のＦＥＣ復号器は有効だが間違った１つの符号語を出力するかもしれない。このような場合ＦＥＣ復号器は典型的には復号は成功したと表示するが、復号されたデータは間違いを含む。このような２値のＦＥＣ符号表示は、ＦＥＣのコード率が高い場合、信号雑音比（ＳＮＲ）が乏しい場合、および／または多重レベルＦＥＣ符号化が使用されている場合には、さらにあてにできなくなる。
ＦＥＣ符号表示に伴うこれらの困難に鑑み、本発明に基づく実施形態は、保護されたリンク構成において冗長リンク間の切換について改善された方法とシステムを提供する。以下に記述する実施形態では、コントローラ８０はＦＥＣ符号に関するソフト品質ランクを計算する。ソフト品質ランクは、２値のＦＥＣ符号表示に比べ、より細かい解像度とより低い誤り可能性有し、従って第１と第２の通信リンクの間の選択に対しより良い手段を提供する。
【００２６】
ある実施形態では、各データ・フレームの一部が誤り検出符号のために保存され、これがＦＥＣ符号では不可能な場合でも、しばしば信頼性の高い品質表示を提供することが出来る。このような実施形態では、コントローラ８０は各データ・フレームのソフト品質ランクをＦＥＣ符号と誤り検出符号の両方に基づいて計算する。リンク資源（例えば、時間、帯域幅）を巡回冗長検査（ＣＲＣ）に割当てると、他のリンク変数（例えば、シンボル率、またはＦＥＣコード率）が低下するため、性能の低下をもたらす。しかし殆どの場合、この性能低下はより良い切換決定による性能向上により埋め合わされ、余りがある。リンク全体の性能はこのようにして改善される。
【００２７】
図３は本発明に基づく実施形態における保護された通信リンク２０を操作する方法をしめすフロー・チャートである。方法は符号化ステップ１００において、２重送信器２４がＦＥＣと誤り検出符号の両方を使用してデータを符号化することから始まる。第１および第２の送信器は、送信ステップ１０４において、データ・フレームのそれぞれの順列のデータを第１および第２のチャネルを介して送信する。２重受信器２８の第１および第２の受信器は、受信ステップ１０８において、第１および第２のチャネルを介して送信された信号を受信し復号して、同一のデータを運ぶ２つの並行したデータ・フレームの順列を生成する。第１および第２の受信（ＲＸ）モデムのそれぞれは、ＦＥＣおよび誤り検出符号の復号に関する表示を各データ・フレーム内に生成する。
【００２８】
受信器２８のコントローラ８０は、ランク計算ステップ１１２において、各データ・フレームに対するソフト品質ランクをＦＥＣおよび誤り検出符号の表示に基づいて計算する。コントローラ８０は、切換ステップ１１６において、マルチプレクサ（ＭＵＸ）７２を制御し、第１リンクまたは第２リンクのどちらか一方からデータ・フレームを選択する。選択は典型的にはヒットレスでフレーム毎に行われる。選択されたデータ・フレームは、出力ステップ１２０において、データを抽出し出力するデフレーマ７６に供給される。
コントローラ８０は、データ・フレームのソフト品質ランクの計算および比較のために、ＦＥＣ符号、誤り検出符号、および、これら表示に基づくいかなる適合する論理をも使用することが出来る。
【００２９】
図４は本発明に基づく保護された通信リンクにおいて、リンク２０の第１および第２の受信器から受信した、２つの並行なデータ・フレームの品質を比較する方法を例示的に示す、フロー・チャートである。図４のこの方法は図３の方法におけるステップ１１２と１１６を実行するのに使用されうる。
方法は、復号前比較ステップ１３０において、コントローラ２０がＦＥＣ復号の前に、硬判定復号されたデータを吟味することから始まる。現在のこの例では各データ・フレームのビットは未符号化データビットとパリティ（冗長）ビットに分割される。巡回冗長検査（ＣＲＣ）あるいは他の誤り検出符号はデータ・フレームの未符号化データビットに対して計算される。２つのデータ・フレームの各々に対してコントローラは、ＣＲＣチェックのステップ１３４において、フレームの未符号化データビットの巡回冗長検査（ＣＲＣ）が正しいか否か、即ち、未符号化ビットが誤りを修正しなければならないＦＥＣ符合を有しない、１つの有効な符号語に対応するか否かをチェックする。ある実施形態では、コントローラは、ＣＲＣを評価することなく、未符号化ビットが有効な符号語を含むか否かを直接チェックする。フレームの１つの未符号化ビットが有効な符号語を含む場合には、選択ステップ１５０において、コントローラはこのフレームを選択し、方法は終了する。両方のフレームが有効な符号語を含む場合は、１つ前のフレームで使用されたマルチプレクサ（ＭＵＸ）設定を維持するなど、コントローラはいずれのフレームを選択しても良い。
【００３０】
逆にいずれのフレームもＦＥＣ符号化の前において有効な符号語を含まない場合は、コントローラ８０はある距離基準に基づいて有効な符号語により近いデータを有するフレームを選択する。例えば、あるリード・ソロモン（ＲＳ）復号器は誤りを含むバイト数および／または修正されたビット誤り数の表示を提供する。距離基準はこれらの表示に基づくことが可能である。他の実施形態では、コントローラ８０は、ＦＥＣ復号器の入力と出力を比較することにより、あるデータ・フレームのビット誤りの数および／または誤りを含むバイト数を計算することが可能である。
【００３１】
ある実施形態では、コントローラ８０は、バイト・チェックのステップ１３８において、２つのフレーム内の誤りを含むバイト数をチェックする。バイト比較ステップ１４２において、チェックされたバイトの数が２つのデータ・フレームで同じでない場合は、コントローラは、選択ステップ１５０において、誤りを含むバイト数が少ない方のデータ・フレームを選択する。
コントローラ８０が、２つのデータ・フレームが同じ数の誤りを含むバイト数を有すると判断した場合、コントローラは、ビット誤り比較ステップ１４６において、２つのフレームのビット誤りの数を比較する。コントローラは、選択ステップ１５０において、ビット誤り数が少ないフレームを選択する。ビット誤り数が同じ場合は、選択は便宜上、あるいは他の条件に基づき任意に決められる。他の実施形態では、上記ステップ１３８および１４２は省略されうる。言い換えれば、コントローラは、最初に誤りを含むバイト数を比較することなく、ビット誤り数を比較することができる。
【００３２】
ここに記載された実施形態は主に第１および第２のリンクを有するリンク構成について述べたが、本発明の原理はどのような数の冗長リンクとの間の切換にも使用されうる。
上記の実施形態は例示として引用され、本発明の範囲は上記に記載された範囲に限定されるものではないことを理解されたい。また本発明の範囲は、上記に記載された種々の特性の組合せや準組合せを含み、当業者が従来技術にない上記の記載を読んだときに想起される多様化や変更を含む。
【符号の説明】
【００３３】
２０  リンク    ２４  ２重送信器    ２８  ２重受信器    
３６  フレーマ    ４０  第１の送信器    ４４  第２の送信器    
４５  送信モデム    ４６  送信器先端部    ４８，５２  送信アンテナ
５６，６０  受信アンテナ    ６４  第１の受信器    ６８  第２の受信器
６９  受信器先端部    ７０  受信モデム    ７２  マルチプレクサ
７６  デフレーマ    ８０  受信器コントローラ          
【図１】
2010537466.tif 000003
【図２】
2010537466.tif 000004
【図３】
2010537466.tif 000005
【図４】
2010537466.tif 000006
【手続補正書】
【提出日】平成22年5月14日(2010.5.14)
【手続補正１】
【補正対象書類名】特許請求の範囲
【補正対象項目名】全文
【補正方法】変更
【補正の内容】
【特許請求の範囲】
【請求項１】
第１及び第２のデータ・フレームをそれぞれ第１及び第２の通信リンクを経由して受信するステップと、
ここにおいて前記第１及び前記第２のデータ・フレームは１つの前方誤り訂正（ＦＥＣ）符号で符号化されたそれぞれ第１及び第２の複製データを有し、
受信された前記第１及び第２のデータ・フレーム内の前記ＦＥＣ符号をそれぞれ復号するステップと、
前記第１及び第２のデータ・フレームのそれぞれ第１及び第２のソフト品質ランクを、それぞれ前記復号されたＦＥＣ符号に基づいて計算するステップと、
前記第１及び第２の複製データの内の一方を、前記第１及び第２のソフト品質ランクに基づき選択するステップと、
前記選択された第１及び第２の複製データの内の一方を出力するステップと、
からなることを特徴とする通信の方法。  
【請求項２】
前記第１の通信リンクは主たるリンクとして機能し、前記第２の通信リンクは前記主たるリンクの補助として機能することを特徴とする請求項１に記載の方法。
【請求項３】
前記第１及び第２のデータ・フレーム内の前記データが、さらに１つの誤り検出符号により符号化され、また、前記第１及び第２のソフト品質ランクを計算するステップが、前記復号されたＦＥＣ符号および前記誤り検出符号の両方に基づいて前記ランクを計算するステップからなる、ことを特徴とする請求項１に記載の方法。
【請求項４】
前記誤り検出符号が１つの巡回冗長検査（ＣＲＣ）からなることを特徴とする請求項１−３のいずれかに記載の方法。
【請求項５】
前記前方誤り訂正（ＦＥＣ）符号は１つのリード・ソロモン符号からなることを特徴とする請求項１−３のいずれかに記載の方法。
【請求項６】
前記第１及び第２の複製データの内の１つを選択するステップが、前記第１のソフト品質ランクが前記第２のソフト品質ランクより優れている場合は、前記第１の複製データを選択し、前記第２のソフト品質ランクが前記第１のソフト品質ランクより優れている場合は、前記第２の複製データを選択するステップからなることを特徴とする請求項１−３のいずれかに記載の方法。
【請求項７】
前記第１及び第２の複製データの内の１つを選択するステップが、現在選択された１つの複製データのソフト品質ランクが事前設定された１つの閾値を下回る場合は、前記現在選択された複製データを変更するステップからなることを特徴とする請求項１−３のいずれかに記載の方法。
【請求項８】
前記第１及び第２のソフト品質ランクがそれぞれ前記第１及び第２のデータ・フレームに由来する表示に基づいており、前記表示は、前記ＦＥＣ符号の復号の成功／失敗、ＦＥＣ符号の復号の前に存在した誤りの数、およびＦＥＣ符号の復号の前に存在した誤りを含むバイトの数、からなる表示タイプ群から選ばれる少なくとも１つの表示タイプからなることを特徴とする請求項１−３のいずれかに記載の方法。
【請求項９】
前記ソフト品質ランクを計算し前記第１及び第２の複製データの内の１つを選択するステップが、
前記第１及び第２の複製データの内の少なくとも１つが前記ＦＥＣ符号の復号の前に誤りを含まない場合は、前記誤りを含まない複製データの１つを選択するステップと、
前記第１及び第２の複製データの両方共ＦＥＣ符号の復号の前に誤りを含む場合は、前記第１及び第２の複製データのうち前記ＦＥＣ符号の１つの有効な符号語に近い一方を選択するステップと、
からなることを特徴とする請求項１−３のいずれかに記載の方法。
【請求項１０】
前記第１及び第２の複製データのうち前記有効な符号語に近い一方を選択するステップは、前記第１及び第２の複製データのうち誤り数の少ない一方を選択するステップからなることを特徴とする請求項９に記載の方法。
【請求項１１】
前記第１及び第２の複製データのうち前記ＦＥＣ符号の１つの有効な符号語に近い方を選択するステップは、前記第１及び第２の複製データのうち誤りを含むバイトの数が少ない一方を選択するステップからなることを特徴とする請求項９に記載の方法。
【請求項１２】
前記ソフト品質ランクを計算するステップは、前記第１及び第２のデータ・フレーム内の前記ＦＥＣ符号をそれぞれ第１及び第２の復号器の出力に復号する、それぞれの復号器の入力の比較に基づいて前記ランクを計算するステップからなることを特徴とする請求項１−３のいずれかに記載の方法。
【請求項１３】
第１及び第２のデータ・フレームをそれぞれ第１及び第２の通信リンクを経由して受信し、そして前記受信された第１及び第２のデータ・フレーム内の前方誤り訂正（ＦＥＣ）符号を復号するように配置された第１と第２の受信器と、
ここにおいて前記第１及び前記第２のデータ・フレームは前記ＦＥＣ符号で符号化された第１及び第２の複製データをそれぞれ有し、
前記第１及び第２のデータ・フレームを前記第１及び第２の受信機より受信し、そして、前記第１および第２の複製データのそれぞれ１つを出力として供給するため、前記第１及び第２のデータ・フレームのうちの１つを選択するように稼動する、１つのマルチプレクサ（ＭＵＸ）と、  
前記第１及び第２のデータ・フレームのそれぞれ第１及び第２のソフト品質ランクを、前記復号されたＦＥＣ符号に基づいて計算し、
前記マルチプレクサを制御して、前記第１及び第２のソフト品質ランクに基づき前記第１及び第２の複製データの内の１つを選択させる、ように接続される１つのコントローラと、
からなることを特徴とする通信装置。  
【請求項１４】
前記第１の通信リンクは主たるリンクとして機能し、前記第２の通信リンクは前記主たるリンクの補助として機能することを特徴とする請求項１３に記載の装置。
【請求項１５】
前記第１及び第２のデータ・フレーム内のデータが、さらに１つの誤り検出符号により符号化され、また、前記コントローラが、前記復号されたＦＥＣ符号および前記誤り検出符号の両方に基づいて、前記第１及び第２のソフト品質ランクを計算するように接続されていることを特徴とする請求項１３に記載の装置。
【請求項１６】
前記誤り検出符号が１つの巡回冗長検査（ＣＲＣ）からなることを特徴とする請求項１３−１５のいずれかに記載の装置。
【請求項１７】
前記前方誤り訂正（ＦＥＣ）符号が１つのリード・ソロモン符号からなることを特徴とする請求項１３−１５のいずれかに記載の装置。
【請求項１８】
前記コントローラは、前記マルチプレクサを制御して、前記第１のソフト品質ランクが前記第２のソフト品質ランクより優れている場合は、前記第１の複製データを選択させ、前記第２のソフト品質ランクが前記第１のソフト品質ランクより優れている場合は、前記第２の複製データを選択させる、ように接続されていることを特徴とする請求項１３−１５のいずれかに記載の装置。
【請求項１９】
前記コントローラは、前記マルチプレクサを制御して、現在選択された１つの複製データのソフト品質ランクが事前設定された１つの閾値を下回る場合は、前記現在選択された複製データを変更する、ように接続されていることを特徴とする請求項１３−１５のいずれかに記載の装置。
【請求項２０】
前記第１及び第２の受信器が其々前記第１及び第２のデータ・フレーム表示に由来するように配置され、
ここに前記表示は、前記ＦＥＣ符号の復号の成功／失敗、前記ＦＥＣ符号の復号の前に存在した誤りの数、および前記ＦＥＣ符号の復号の前に存在した誤りを含むバイトの数、からなる表示タイプ群から選ばれる少なくとも１つの表示タイプからなり、
また前記コントローラが、前記第１及び第２のソフト品質ランクを前記表示に基づいて計算するように接続されている、ことを特徴とする請求項１３−１５のいずれかに記載の装置。
【請求項２１】
前記コントローラが、
前記第１及び第２の複製データの内の少なくとも１つがＦＥＣ符号の復号の前に誤りを含まない場合は、前記誤りを含まない複製データの１つを選択し、
前記第１及び第２の複製データの両方共ＦＥＣ符号の復号の前に誤りを含む場合は、前記第１及び第２の複製データのうち前記ＦＥＣ符号の１つの有効な符号語に近い一方を選択する、
ように接続されている、ことを特徴とする請求項１３−１５のいずれかに記載の装置。
【請求項２２】
前記コントローラが、前記第１及び第２の複製データのうち前記誤りの数の少ない一方を選択することにより、前記第１及び第２の複製データのうち前記有効な符号語に近い一方を選択するように接続されている、ことを特徴とする請求項２１に記載の装置。
【請求項２３】
前記コントローラが、前記第１及び第２の複製データのうち前記誤りを含むバイト数の少ない一方を選択することにより、前記第１及び第２の複製データのうち前記有効な符号語に近い一方を選択するように接続されている、ことを特徴とする請求項２１に記載の装置。
【請求項２４】
前記第１及び第２の受信器が、それぞれ前記第１及び第２のデータ・フレーム内の前記ＦＥＣ符号を復号するように配置されるそれぞれの復号器からなり、
ここにおいて前記コントローラが、それぞれ前記復号器の出力に復号する前記復号器の入力の比較に基づいて、前記ソフト品質ランクを計算するように接続される、
ことを特徴とする請求項１３−１５のいずれかに記載の装置。
【請求項２５】
１つの送信器と、
ここにおいて前記送信器はデータを１つの前方誤り訂正（ＦＥＣ）符号で符号化し、そしてそれぞれ第１及び第２のデータ・フレーム内の前記符号化されたデータの第１及び第２の複製データを、第１及び第２の通信チャネルを経由して送信するように配置され、
１つの受信機と、
ここにおいて前記受信器は、
前記送信器より送信された前記第１及び第２のデータ・フレームを受信し、そして前記受信された第１及び第２のデータ・フレーム内の前記前方誤り訂正（ＦＥＣ）符号を復号するように、それぞれ配置された第１と第２の受信器チャネルと、
前記第１及び第２のデータ・フレームを前記第１及び第２の受信機チャネルより受信し、そして前記第１および第２の複製データの１つを出力として供給するため、前記第１及び第２のデータ・フレームのうちの１つを選択するように稼動する、１つのマルチプレクサと、  
前記第１及び第２のデータ・フレームのそれぞれ第１及び第２のソフト品質ランクを、前記復号されたＦＥＣ符号に基づいて計算し、前記マルチプレクサを制御して、前記第１及び第２のソフト品質ランクに基づき前記第１及び第２の複製データの内の一方を選択させる、ように接続される１つのコントローラと、を含み、
からなることを特徴とする通信リンク。  
【国際調査報告】
2010537466.tif 000007